(57)【特許請求の範囲】
【請求項１】
便器と、前記便器内面を洗浄する洗浄水を蓄えるロータンクと、人体局部を洗浄する洗浄ノズルと、前記ロータンクおよび前記洗浄ノズルに水道水を供給する給水手段とを備え、前記給水手段は、前記ロータンクと前記洗浄ノズルへの給水を各々行うため、分岐し、その分岐部分は、水道からの給水管とロータンクへの給水管とが対向して開口するように配置し、前記洗浄ノズルへの給水管は側方に分岐し、さらに、前記分岐部分に、筒状のフィルター部を配設し、前記水道からロータンクへ供給される水は筒状の前記フィルター部の外側から内側へと内側から外側へ２回通過することを特徴とするトイレ装置。
【請求項２】
フィルター部は、洗浄ノズルへの給水管内部にはまりこむ円筒形状をし、その側面をメッシュで構成した請求項１に記載のトイレ装置。
【請求項３】
フィルター部を含んで洗浄ノズルへの給水管の一部にはまりこむように、前記フィルター部の片端に水抜栓を配設した請求項１または２に記載のトイレ装置。
【請求項４】
水抜栓のフィルター部先端に逆止弁を配設した請求項３に記載のトイレ装置。
【発明の詳細な説明】
【０００１】
【発明の属する技術分野】
本発明は、便器内面を洗浄する洗浄水を蓄えるロータンクと、人体局部を洗浄する洗浄手段とを備えた、トイレ装置に関するものである。
【０００２】
【従来の技術】
従来、この種のトイレ装置としては、図７記載されているようなものがあった。図７において、円筒状のフィルター部１は、水道からの給水管２内に配設され、他端は水抜栓３を形成している。また、フィルター部１の配設された水道からの給水管２に、ロータンクへの給水管４と洗浄ノズルへの給水管５が平行に配設されていた。
【０００３】
【発明が解決しようとする課題】
しかしながら、前記従来の構成では、ロータンクへの給水管４と洗浄ノズルへの給水管
５が、平行に並んで水道からの給水管２から分岐しているため、その分岐部６は、スペースを必要としていた。さらに、使用者が操作する水抜栓３を本体の外側にするために、水道からの給水管２を、設置時の配管工事のしにくい本体の一番内側に配設しなければならないという課題を有していた。
【０００４】
本発明は、上記従来の課題を解決するもので、ロータンクへの給水管と洗浄ノズルへの給水管の分岐部をコンパクトにし、かつ水道からの給水管を外側に配設し、設置時の配管工事性を向上することを目的とする。
【０００５】
【課題を解決するための手段】
前記従来の課題を解決するために、本発明のトイレ装置は、水道からの給水管とロータンクへの給水管とが対向して開口するように、洗浄ノズルへの給水管から分岐し、その分岐部分に、フィルター部を配設したものである。
【０００６】
【発明の実施の形態】
第１項記載の発明は、水道からの給水管とロータンクへの給水管とが対向して開口するように、洗浄ノズルへの給水管から分岐し、その分岐部分に、筒状のフィルター部を配設し、水道からロータンクへ供給される水は筒状のフィルター部の外側から内側へと内側から外側へ２回通過することにより、分岐部をコンパクトにすることができ、水道からの給水管を外側に配設できるので、設置時の配管工事性を向上させることができる。しかも、水中の異物がフィルターの外方でキャッチされるため、掃除がしやすい。また、ロータンクへの水はフィルターを２回通過することになり、圧力損失が大きくなるので、ロータンク給水時の洗浄ノズル側の流量低下防止を目的として、分岐部での水量調節のために、ロータンクへの給水管で水路を絞る必要がなく、水を急激に絞ることによって発生する水流音がなくなる。
【０００７】
請求項２記載の発明は、フィルター部を、洗浄ノズルへの給水管内部にはまりこむ円筒形状にし、その側面をメッシュで構成したことにより、水中の異物がフィルターの外方でキャッチされるため、掃除がしやすい。
【０００８】
請求項３記載の発明は、フィルター部を含んで洗浄ノズルへの給水管の一部にはまりこむように、フィルター部の片端に水抜栓を配設したことにより、水抜栓を取り出して簡単にフィルター部の掃除ができる。
【０００９】
請求項４記載の発明は、水抜栓のフィルター部先端に逆止弁を配設したことにより、水抜栓を取り出して簡単に逆止弁の掃除や交換ができる。
【００１０】
【実施例】
以下、本発明の実施例について、図面を参照しながら説明する。
【００１１】
（実施例１）
図１は、本発明の第１の実施例におけるトイレ装置の斜視図を示すものであり、図２は同トイレ装置の水回路図を示すものであり、図３は同トイレ装置の分岐部の縦断面図を示すものであり、図４は同トイレ装置の分岐部のａ−ａ断面図を示すものであり、図５は同トイレ装置の水抜栓を取外した図を示すものである。
【００１２】
図１〜図５において、水道からの給水管１１は本体１２の外側下方より、洗浄ノズルへの給水管１３と水密に接合され、ロータンクへの給水管１４は水道からの給水管１１と対向した位置で、洗浄ノズルへの給水管１３と水密に接合されている。フィルター部１５は洗浄ノズルへの給水管１３内部にはまりこむ円筒形状をし、その側面はメッシュで構成さ
れており、本体１２の外側の方には洗浄ノズルへの給水管１３とネジ篏合する水抜栓１６を備えており、本体１２の内側の方には、逆止弁１７を備えている。
【００１３】
以上のように構成されたトイレ装置において、水道からの給水管１１とロータンクへの給水管１４は、フィルター部１５を内臓した洗浄ノズルへの給水管１３をはさんで対向した位置にあるので、分岐部１８は、コンパクトにできる。また、水道からの給水管１１は本体１２の外側下方に位置しているので、設置時の配管工事がしやすい。
【００１４】
また、フィルター部１５は、洗浄ノズルへの給水管１３内部にはまりこむ円筒形状で、その側面をメッシュで構成したので、水中の異物がフィルターの外方でキャッチされるため、掃除がしやすい。
【００１５】
また、フィルター部１５の側面は、水道からの給水管の開口部１１ａとロータンクへの給水管の開口部１４ａを覆う位置に配設されることにより、ロータンク１９への水はフィルターを２回通過することになり、圧力損失が大きくなるので、ロータンク１９給水時の洗浄ノズル２０側の流量低下防止を目的として、分岐部１８での水量調節のために、ロータンクへの給水管１４の途中で、水路を絞る必要がなく、水を急激に絞ることによって発生する水流音がなくなる。
【００１６】
また、フィルター部１５を含んで洗浄ノズルへの給水管１３の一部にはまりこむようにフィルター部１５の片端に水抜栓１６を配設したことにより、水抜栓１６を取り出して簡単にフィルター部１５の掃除ができる。また、水抜栓１６のフィルター部１５先端に逆止弁１７を配設したことにより、水抜栓１６を取り出して簡単に逆止弁１７の掃除や交換ができる。
【００１７】
（参考例）
図６は、本発明の参考例におけるトイレ装置の分岐部の縦断面図を示すものである。
【００１８】
図６において、水道からの給水管１１は、本体１２の内側下方よりＬ字状に屈曲し、本体１２の外側へ向かっている。そして、ロータンクへの給水管１４と洗浄ノズルへの給水管１３とが横並びに開口するように、水道からの給水管１１の屈曲部から本体１２の外側へ向かっている部分から分岐し、フィルター部１５は水道からの給水管１１の分岐部１８内部にはまりこむ円筒形状をし、その側面はメッシュで構成されており、ロータンクへの給水管の開口部１４ａに対向する部分では、やや大きめの目（＃６０）の第１のフィルター部１５ａとし、前記洗浄ノズルへの給水管の開口部１３ａに対向する部分では、やや小さめの目（＃１２０）の第２のフィルター部１５ｂとし、フィルター部１５の外側と分岐部１８の内壁との隙間部２１は第１のフィルター部１５ａと第２のフィルター部１５ｂの間でＯリング２２によってシールされている。
【００１９】
フィルター部１５の片端で本体１２の外側の方には水道からの給水管１１とネジ篏合する水抜栓１６を備えている。
【００２０】
以上のように構成されたトイレ装置において、フィルター部１５はロータンク側と洗浄ノズル側の水路に対し異なった目のメッシュを有することができるので、ロータンク側の流量１０Ｌ／分と洗浄ノズル側の流量１．５Ｌ／分に対応したメッシュにすることができる。
【００２１】
【発明の効果】
以上のように、本発明によれば、ロータンクへの給水管と洗浄ノズルへの給水管の分岐部のコンパクト化と、設置時の配管工事性を向上させることができる。
【図面の簡単な説明】
【図１】  本発明の実施例１におけるトイレ装置の斜視図
【図２】  同トイレ装置の水回路図
【図３】  同トイレ装置の分岐部の縦断面図
【図４】  同トイレ装置の分岐部のａ−ａ断面図
【図５】  同トイレ装置の水抜栓を取外した図
【図６】  本発明の参考例におけるトイレ装置の分岐部の縦断面図
【図７】  従来のトイレ装置の分岐部の縦断面図
【符号の説明】
１１  水道からの給水管
１１ａ  水道からの給水管の開口部
１３  洗浄ノズルへの給水管
１４  ロータンクへの給水管
１４ａ  ロータンクへの給水管の開口部
１５  フィルター部
１６  水抜栓
１７  逆止弁
１８  分岐部
１９  ロータンク
２０  洗浄ノズル
【図１】
0004529290.tif 000002
【図２】
0004529290.tif 000003
【図３】
0004529290.tif 000004
【図４】
0004529290.tif 000005
【図５】
0004529290.tif 000006
【図６】
0004529290.tif 000007
【図７】
0004529290.tif 000008